(57)【要約】【課題】軸方向の大型化が抑えられるステータを提供する。【解決手段】複数のグループのステータ構成部２０，４０，６０の１つとして、分割コア２１〜２４のティースに巻回された巻線２５〜２８が渡り線３３によって連結されるとともに、渡り線３３によって連結された分割コア２２，２３に対応する絶縁部３０，３１同士が独立して設けられるＵ相ステータ構成部２０を含む。【選択図】図３
2019213320.tif 000002
【特許請求の範囲】
【請求項１】
周方向に複数の分割コアを備えるステータコアと、前記分割コアのティースにそれぞれ巻回される複数の巻線と、前記ティースと前記巻線とを個別に絶縁する絶縁部を複数有するインシュレータと、を有するステータであって、
位相の異なる電流が供給される巻線毎に少なくとも独立した複数のグループのステータ構成部を有し、
前記複数のグループのステータ構成部は、前記分割コアの前記ティースに巻回された前記巻線同士を連結する渡り線を複数有し、複数の前記渡り線の全てが軸方向一方側に配置され、
前記複数のグループのステータ構成部は、隣り合う前記複数の分割コアが少なくとも１個以上の隙間を空けて配置されており、前記複数のグループのステータ構成部が互いに組み付けられた状態では前記隙間に他のグループの分割コアが配置されており、
前記複数のグループのステータ構成部の１つとして、前記分割コアの前記ティースに巻回された前記巻線が渡り線によって連結されるとともに、前記渡り線によって連結された各分割コアに対応する前記絶縁部同士が独立して設けられる第１ステータ構成部を含む、ステータ。
【請求項２】
前記複数のグループのステータ構成部の１つとして、前記分割コアの前記ティースに巻回された前記巻線が渡り線によって連結されるとともに、前記渡り線によって連結された各分割コアに対応する前記絶縁部同士が連結部によって連結状態とされる第２ステータ構成部をさらに含む請求項１に記載のステータ。
【請求項３】
前記連結部には、前記第２ステータ構成部の前記渡り線と、前記第１ステータ構成部の前記渡り線が前記連結部に沿って設けられる請求項２に記載のステータ。
【請求項４】
前記巻線は、前記ティースに対する巻き始めの引き出し部と巻き終わりの引き出し部とが交差する交差部を有し、
少なくとも１つの前記第１ステータ構成部と複数の前記第２ステータ構成部とを有し、
前記第１ステータ構成部と複数の前記第２ステータ構成部とが軸方向に組み付けられた状態で、軸方向において中間に位置する渡り線と接続される前記巻線の前記交差部が他の巻線の前記交差部と逆巻きとされた、請求項２又は３に記載のステータ。
【請求項５】
前記絶縁部は、前記分割コアの各ティースのそれぞれに対応する前記巻線の巻き始め部分を案内する第１案内部と、前記分割コアの各ティースのそれぞれに対応する前記巻線の巻き終わり部分を案内する第２案内部とを有し、周方向に隣り合う他の絶縁部の前記第１案内部及び前記第２案内部と前記巻線を案内する位置が軸方向において異なる、請求項１〜４の何れか１項に記載のステータ。
【請求項６】
前記絶縁部は、他の絶縁部との間に間隙を有する請求項１〜５の何れか１項に記載のステータ。
【請求項７】
前記渡り線は、互いに一部接触状態で配設される請求項１〜６の何れか１項に記載のステータ。
【請求項８】
前記渡り線は、互いに離間状態で配設される請求項１〜６の何れか１項に記載のステータ。
【請求項９】
少なくとも１つの前記渡り線が他の渡り線に対して径方向にずらして配設される請求項１〜８の何れか１項に記載のステータ。
【発明の詳細な説明】
【技術分野】
【０００１】
本発明は、ステータに関する。
【背景技術】
【０００２】
従来、モータに用いられるステータでは、巻線が巻回されるステータコアを周方向に複数に分割した分割コアを有するものが知られている（例えば特許文献１参照）。
特許文献１のステータは、複数の分割コアと、巻線と、インシュレータとを有するステータ構成部をＵ相、Ｖ相、Ｗ相の各相毎に備えている。各ステータ構成部の各インシュレータは、巻線と分割コアとの間を絶縁する絶縁部と、各絶縁部を連結する連結部とを備える。
【先行技術文献】
【特許文献】
【０００３】
【特許文献１】特開２０１３−１６２７２５号公報
【発明の概要】
【発明が解決しようとする課題】
【０００４】
ところで、上記のようなステータでは、各ステータ構成部を構成する絶縁部が連結部によって連結されている。これら連結部は、ステータ構成部毎に設けられ、軸方向にずらして形成される。これにより軸方向に大型化してしまう虞がある。また、例えばステータ構成部の各連結部の軸方向間において、各連結部同士が干渉しないように隙間を設けると、更に軸方向に大型化してしまう虞がある。
【０００５】
本発明は、上記課題を解決するためになされたものであって、その目的は、軸方向の大型化が抑えられるステータを提供することにある。
【課題を解決するための手段】
【０００６】
上記課題を解決するステータは、周方向に複数の分割コアを備えるステータコアと、前記分割コアのティースにそれぞれ巻回される複数の巻線と、前記ティースと前記巻線とを個別に絶縁する絶縁部を複数有するインシュレータと、を有するステータであって、位相の異なる電流が供給される巻線毎に少なくとも独立した複数のグループのステータ構成部を有し、前記複数のグループのステータ構成部は、前記分割コアの前記ティースに巻回された前記巻線同士を連結する渡り線を複数有し、複数の前記渡り線の全てが軸方向一方側に配置され、前記複数のグループのステータ構成部は、隣り合う前記複数の分割コアが少なくとも１個以上の隙間を空けて配置されており、前記複数のグループのステータ構成部が互いに組み付けられた状態では前記隙間に他のグループの分割コアが配置されており、前記複数のグループのステータ構成部の１つとして、前記分割コアの前記ティースに巻回された前記巻線が渡り線によって連結されるとともに、前記渡り線によって連結された各分割コアに対応する前記絶縁部同士が独立して設けられる第１ステータ構成部を含む。
【０００７】
上記態様によれば、複数のグループのステータ構成部の１つとして、分割コアのティースに巻回された巻線が渡り線によって連結されるとともに、渡り線によって連結された各分割コアに対応する絶縁部同士が独立して設けられてなる第１ステータ構成部を含む。このように、絶縁部同士が独立して設けられる第１ステータ構成部を備えることで、各絶縁部同士が非連結状態とされるため、軸方向への大型化が抑えられる。
【０００８】
上記ステータにおいて、前記複数のグループのステータ構成部の１つとして、前記分割コアの前記ティースに巻回された前記巻線が渡り線によって連結されるとともに、前記渡り線によって連結された各分割コアに対応する前記絶縁部同士が連結部によって連結状態とされる第２ステータ構成部を有することが好ましい。
【０００９】
上記態様によれば、複数のグループのステータ構成部の１つとして、分割コアの前記ティースに巻回された巻線が渡り線によって連結されるとともに、渡り線によって連結された各分割コアに対応する絶縁部同士が連結部によって連結状態とされる第２ステータ構成部を有する。つまり、第１ステータ構成部に加えて第２ステータ構成部を備えることで、連結部を備えつつ軸方向への大型化が抑えられる。
【００１０】
上記ステータにおいて、前記連結部には、前記第２ステータ構成部の前記渡り線と、前記第１ステータ構成部の前記渡り線が前記連結部に沿って設けられることが好ましい。
上記態様によれば、連結部には、第２ステータ構成部の渡り線のみならず、第１ステータ構成部の渡り線が連結部に沿って設けられるため、軸方向への大型化を抑えつつ、連結部を第１ステータ構成部の渡り線のガイド部材として用いることができる。
【００１１】
上記ステータにおいて、前記巻線は、前記ティースに対する巻き始めの引き出し部と巻き終わりの引き出し部とが交差する交差部を有し、少なくとも１つの前記第１ステータ構成部と複数の前記第２ステータ構成部とを有し、前記第１ステータ構成部と複数の前記第２ステータ構成部とが軸方向に組み付けられた状態で、軸方向において中間に位置する渡り線と接続される前記巻線の前記交差部が他の巻線の前記交差部と逆巻きとされることが好ましい。
【００１２】
上記態様によれば、第１ステータ構成部と複数の第２ステータ構成部とを軸方向に組み付けた状態で、軸方向において中間に位置する渡り線と接続される巻線の交差部が、他の巻線の交差部と比較して逆巻きとされる。ここで、巻線は巻き始め部分と巻き終わり部分との交差部において巻き始め部分が内側となり、巻き終わり部分が外側となる。このため、交差部を軸方向の一方側に設定すると、巻き始め部分が相対的に軸方向他方側に位置し、巻き終わり部分が相対的に軸方向一方側に位置する。そのため、周方向に引き回される渡り線についても巻線の巻き終わり部分と連続する部位が相対的に軸方向一方側に位置し、巻線の巻き始め部分と連続する部位が相対的に軸方向他方側に位置する。例えば、全ての巻線について交差部が同方向に巻回された場合、中間に位置する渡り線と接続される巻線の巻き始め部分が周方向一方側で隣接する巻線の巻き終わり部分と近接する位置となる。同様に、中間に位置する渡り線と接続される巻線の巻き終わり部分が周方向他方側で隣接する巻線の巻き始め部分と近接する位置となる。一方、前述したように軸方向において中間に位置する渡り線と接続される巻線の交差部が他の渡り線と接続される巻線の交差部と比較して逆巻きとする場合、中間に位置する渡り線と接続される巻線の巻き終わり部分が周方向一方側で隣接する巻線の巻き終わり部分と近接することとなる。同様に、中間に位置する渡り線と接続される巻線の巻き始め部分が周方向他方側で隣接する巻線の巻き始め部分と近接することとなる。ここで、近接する部分がいずれも巻き終わり部分同士又はいずれも巻き始め部分同士であるため、互いに干渉しないように十分に距離を確保しやすく、渡り線同士を軸方向に近接し易くでき、軸方向への大型化が抑えられる。
【００１３】
上記ステータにおいて、前記絶縁部は、前記分割コアの各ティースのそれぞれに対応する前記巻線の巻き始め部分を案内する第１案内部と、前記分割コアの各ティースのそれぞれに対応する前記巻線の巻き終わり部分を案内する第２案内部とを有し、周方向に隣り合う他の絶縁部の前記第１案内部及び前記第２案内部と前記巻線を案内する位置が軸方向において異なることが好ましい。
【００１４】
上記態様によれば、第１案内部と第２案内部とを有する絶縁部が、周方向に隣り合う他の絶縁部の第１案内部及び第２案内部と巻線を案内する位置が軸方向において異なるため、巻線と接続される渡り線同士が干渉することを抑えることができる。
【００１５】
上記ステータにおいて、前記絶縁部は、他の絶縁部との間に間隙を有することが好ましい。
上記態様によれば、絶縁部同士が互いに間隙を有することで、第１ステータ構成部と第２ステータ構成部とを組み付ける際に絶縁部同士が接触することが抑えられ、組み付け性向上に寄与できる。
【００１６】
上記ステータにおいて、前記渡り線は、互いに一部接触状態で配設されることが好ましい。
上記態様によれば、渡り線は互いに一部接触状態で配設されることで、渡り線間の隙間を抑えることができる。特に軸方向に複数の渡り線が配設される場合には渡り線同士が互いに接触状態となることで渡り線間の軸方向の隙間が抑えられ、軸方向の大型化が抑えられる。
【００１７】
上記ステータにおいて、前記渡り線は、互いに離間状態で配設されることが好ましい。
上記態様によれば、渡り線が互いに離間状態で配設されることで、渡り線同士の絶縁信頼性向上に寄与できる。
【００１８】
上記ステータにおいて、少なくとも１つの前記渡り線が他の渡り線に対して径方向にずらして配設されることが好ましい。
上記態様によれば、少なくとも１つの渡り線が他の渡り線に対して径方向にずらして配設されるため、例えば全ての渡り線を軸方向に並べて配設した場合と比較して軸方向長さを抑えることができ、軸方向の大型化が抑えられる。
【発明の効果】
【００１９】
本発明のステータによれば、軸方向の大型化が抑えられる。
【図面の簡単な説明】
【００２０】
【図１】一実施形態におけるステータの斜視図。
【図２】（ａ）は同実施形態におけるステータの平面図、（ｂ）は（ａ）の一部を拡大して示す拡大図。
【図３】同実施形態におけるステータの分解斜視図。
【図４】同実施形態におけるステータのＵ相ステータ構成部の斜視図。
【図５】同実施形態におけるステータのＶ相ステータ構成部の斜視図。
【図６】同実施形態におけるステータのＷ相ステータ構成部の斜視図。
【図７】同実施形態におけるインシュレータの一部を示す平面図。
【図８】同実施形態におけるステータの一部を示す断面図。
【図９】同実施形態におけるステータの巻線の結線図。
【図１０】第２実施形態におけるステータの平面図。
【図１１】同実施形態におけるステータの巻線の結線図。
【図１２】第３実施形態におけるステータの平面図。
【図１３】同実施形態におけるステータの巻線の結線図。
【図１４】変更例におけるインシュレータの断面図。
【図１５】変更例におけるインシュレータの断面図。
【図１６】変更例におけるインシュレータの断面図。
【図１７】変更例におけるステータの分解斜視図。
【図１８】変更例におけるステータのＵ相ステータ構成部の斜視図。
【図１９】変更例におけるステータの分解斜視図。
【図２０】変更例におけるステータのＷ相ステータ構成部の斜視図。
【図２１】第４実施形態におけるステータの斜視図。
【図２２】同実施形態におけるステータの分解斜視図。
【図２３】変更例におけるＵ相ステータ構成部の斜視図。
【発明を実施するための形態】
【００２１】
（第１実施形態）
以下、添付図面を参照してステータの第１実施形態について説明する。なお、添付図面では、説明の便宜上、構成の一部を誇張又は簡略化して示す場合がある。また、添付図面では、各部分の寸法比率についても、実際とは異なる場合がある。
【００２２】
図１及び図２（ａ）（ｂ）に示すように、ステータ１０は、複数のティースＴ（図２（ａ）参照）を有するステータコア１１と、ステータコア１１の各ティースＴにそれぞれ巻回される巻線２５〜２８，４５〜４８，６５〜６８と、ティースＴと巻線２５〜２８，４５〜４８，６５〜６８とを絶縁するインシュレータ１２とを有する。本例に用いられるステータ１０は、インナーロータタイプのブラシレスモータに用いられるものである。
【００２３】
ステータコア１１は、分割構造であって、それぞれ１つのティースＴを有するように周方向に１２分割してなる１２個の分割コア２１〜２４，４１〜４４，６１〜６４から構成されている。従って、各分割コア２１〜２４，４１〜４４，６１〜６４は、１つのティースＴと、ティースＴの基端部側（径方向外側）から周方向両側に延びた分割環状部ＢＲを有している。換言すると、ティースＴは、分割環状部ＢＲから径方向内側をなすように構成される。また、各ティースＴは、周方向に３０度略等間隔で設けられる。
【００２４】
本実施形態のステータ１０は、Ｕ相ステータ構成部２０と、Ｖ相ステータ構成部４０と、Ｗ相ステータ構成部６０とを有する。各ステータ構成部２０，４０，６０は、それぞれ１つ設けられている。換言すると、ステータ１０は、各ステータ構成部２０，４０，６０とすることで、位相の異なる電流が供給される巻線毎に独立した３つのグループに分けられている。すなわち、本実施形態のステータ１０は、３分割構造となっている。
【００２５】
Ｕ相ステータ構成部２０は、４つの分割コア２１〜２４と、巻線２５〜２８と、絶縁部２９〜３２とを有する。
Ｕ相ステータ構成部２０の各分割コア２１〜２４は、何れも略同形状であって、周方向略９０度間隔で設けられる。より具体的には、分割コア２１〜２４は、分割コア２１、分割コア２２、分割コア２３、分割コア２４の順で周方向９０度間隔となるように設けられる。
【００２６】
Ｕ相ステータ構成部２０の巻線２５〜２８は、各分割コア２１〜２４の各ティースＴに絶縁部２９〜３２を介して巻回される。本例の場合、巻線２５は、分割コア２１のティースＴに絶縁部２９を介して巻回される。巻線２６は、分割コア２２のティースＴに絶縁部３０を介して巻回される。巻線２７は、分割コア２３のティースＴに絶縁部３１を介して巻回される。巻線２８は、分割コア２４のティースＴに絶縁部３２を介して巻回される。巻線２５〜２８は渡り線３３によって連結状態とされる。より具体的には、巻線２５と巻線２６との間、巻線２６と巻線２７との間、巻線２７と巻線２８との間が渡り線３３によって連結状態とされる。本例の場合、１つの導線を各ティースＴに連続して巻回することで巻線２５〜２８並びに渡り線３３が形成される。また、各巻線２５〜２８の巻回方向は、何れも同方向となっている。つまり、図示しない駆動回路（例えばインバータ回路）から各巻線２５〜２８に対してＵ相電流を供給すると、各巻線２５〜２８が巻回されたティースＴが同極となる。なお、以下の説明において各巻線２５〜２８を他の巻線と区別するべくＵ相巻線２５〜２８という。
【００２７】
図２（ａ）に示すように、４つのＵ相巻線２５〜２８の内の２つのＵ相巻線２６，２７は、巻き始めの部分の引き出し部２６ａ，２７ａと巻き終わりの部分の引き出し部２６ｂ，２７ｂとが交差する交差部３４を有する。Ｕ相巻線２６、２７は、その巻き始めの部分と巻き終わりの部分である交差部３４が絶縁部３０，３１の径方向内側寄りに設けられる案内部３６に嵌入されている。また、４つのＵ相巻線２５〜２８の内の２つのＵ相巻線２５，２８は、渡り線３３とは逆側の端末線２５ａ，２８ａが軸方向に引き出されている。端末線２５ａ，２８ａは図示しない駆動回路と電気的に接続されることとなる。
【００２８】
図４に示すように、Ｕ相ステータ構成部２０の絶縁部２９〜３２は、インシュレータ１２を構成するものであり、Ｕ相ステータ構成部２０の前記分割コア２１〜２４と同数設けられる。Ｕ相ステータ構成部２０の各絶縁部２９〜３２は、何れも略同形状であって分割コア２１〜２４に対して組み付け固定若しくは一体成形等により一体化されており、分割コア２１〜２４の各ティースＴと各Ｕ相巻線２５〜２８とを絶縁している。なお、絶縁部２９〜３２が分割コア２１〜２４に対して一体化された状態において、ティースＴの径方向内側面Ｔ１は、その大半が露出するようになっている。そのため、図示しないロータと径方向内側面Ｔ１とが径方向に対向することとなる。
【００２９】
各絶縁部２９〜３２は、自身の径方向内側において軸方向両側に延出する軸方向延出部３５ａ，３５ｂを有する。軸方向延出部３５ａ，３５ｂの内の軸方向一方側（上側）の軸方向延出部３５ａは、各Ｕ相巻線２５〜２８の巻き始め部分と巻き終わり部分とを案内する案内部３６を有する。なお、これ以降の説明において軸方向延出部３５ａが延出する方向を上側、軸方向延出部３５ｂが延出する方向を下側という場合がある。
【００３０】
案内部３６は、軸方向延出部３５ａの軸方向一方側の端部に設けられる第１案内部３６ａ及び第２案内部３６ｂと、軸方向延出部３５ａの周方向両側に設けられる第３案内部３６ｃ及び第４案内部３６ｄとを有する。
【００３１】
第１案内部３６ａは、各Ｕ相巻線２５〜２８の巻き始め部分を案内するものである。第１案内部３６ａは、下側に窪んだ溝であって略直線状をなすように構成される。
第２案内部３６ｂは、各Ｕ相巻線２５〜２８の巻き終わり部分を案内するものである。第２案内部３６ｂは、第１案内部３６ａよりも上側に位置し、軸方向視で第１案内部３６ａと交差するように設けられる。第２案内部３６ｂは、前記第１案内部３６ａと交差する箇所で第１案内部３６ａと連通している。
【００３２】
第３案内部３６ｃは、軸方向延出部３５ａの周方向一方側に設けられ、軸方向延出部３５ａの周方向中央側に窪んだ溝であって第１案内部３６ａと連通した溝である。つまり、第１案内部３６ａに案内されたＵ相巻線を、第３案内部３６ｃによって継続して案内することが可能となっている。
【００３３】
第４案内部３６ｄは、軸方向延出部３５ａの周方向他方側に設けられ、軸方向延出部３５ａの周方向中央側に窪んだ溝であって第２案内部３６ｂと連通した溝である。つまり、第２案内部３６ｂと第４案内部３６ｄによって連続してＵ相巻線を案内することが可能となっている。
【００３４】
Ｕ相ステータ構成部２０の各絶縁部２９〜３２は、連結部３７によって連結されている。
図４に示すように、本実施形態の連結部３７は４つの分割コア２１〜２４に対応して設けられる４つの絶縁部２９〜３２の径方向内側寄りであって軸方向一方側である上側寄りに設けられる。より具体的には、連結部３７は、軸方向延出部３５ａの軸方向一方側である上側寄りから延出するように形成される。本例の連結部３７は、例えば円筒状をなしている。円筒状をなす連結部３７の開口方向は軸方向（ロータの組み付け方向）となっている。
【００３５】
図７及び図８に示すように、連結部３７は、軸方向延出部３５ａの径方向内側に設けられ、軸方向延出部３５ａの径方向内側面３５ｃから径方向内側に延出する第１延出部３８と、第１延出部３８の径方向内側の先端部から軸方向に延出する第２延出部３９とを有する。第１延出部３８は、略円環状をなすように構成される。第２延出部３９は、略円筒状をなすように構成される。つまり、連結部３７は、第１延出部３８と第２延出部３９とでその断面形状がＬ字状をなすように構成される。
【００３６】
図８に示すように、連結部３７の第２延出部３９は、第１延出部３８からの軸方向長さＬ１が渡り線３３を構成する導線を計６本、軸方向に積層した高さと略同じ長さを有している。
【００３７】
図２（ａ）及び図４に示すように、前述した各渡り線３３は、第１延出部３８の軸方向一方側（上側）に面する上側面３８ａの上側であって、第２延出部３９の径方向外側に面する径方向外側面３９ａに沿って配索される。
【００３８】
図３及び図５に示すように、Ｖ相ステータ構成部４０は、４つの分割コア４１〜４４と、巻線４５〜４８と、絶縁部４９〜５２とを有する。
Ｖ相ステータ構成部４０の各分割コア４１〜４４は、何れも同形状であって、周方向に略９０度間隔で設けられる。より具体的には、分割コア４１〜４４は、分割コア４１、分割コア４２、分割コア４３、分割コア４４の順で周方向９０度間隔となるように設けられる。
【００３９】
Ｖ相ステータ構成部４０の巻線４５〜４８は、各分割コア４１〜４４の各ティースＴに絶縁部４９〜５２を介して巻回される。本例の場合、巻線４５は、分割コア４１のティースＴに絶縁部４９を介して巻回される。巻線４６は、分割コア４２のティースＴに絶縁部５０を介して巻回される。巻線４７は、分割コア４３のティースＴに絶縁部５１を介して巻回される。巻線４８は、分割コア４４のティースＴに絶縁部５２を介して巻回される。
【００４０】
また、巻線４５〜４８は渡り線５３によって連結状態とされる。より具体的には、巻線４５と巻線４６との間、巻線４６と巻線４７との間、巻線４７と巻線４８との間が渡り線５３によって連結状態とされる。本例の場合、１つの導線を各ティースＴに連続して巻回することで巻線４５〜４８並びに渡り線５３が形成される。また、各巻線４５〜４８の巻回方向は、何れも同方向となっている。つまり、図示しない駆動回路（例えばインバータ回路）から各巻線４５〜４８に対してＶ相電流を供給すると、各巻線４５〜４８が巻回されたティースＴが同極となる。なお、以下の説明において各巻線４５〜４８を他の巻線と区別するべくＶ相巻線４５〜４８という。
【００４１】
図２（ａ）に示すように、４つのＶ相巻線４５〜４８の内の２つのＶ相巻線４６，４７は、巻き始めの部分の引き出し部４６ａ，４７ａと巻き終わりの部分の引き出し部４６ｂ，４７ｂとが交差する交差部５４を有する。Ｖ相巻線４６，４７は、その巻き始めの部分と巻き終わりの部分である交差部５４が絶縁部５０，５１の径方向内側寄りに設けられる案内部５６に嵌入されている。また、４つのＶ相巻線４５〜４８の内の２つのＶ相巻線４５，４８は、渡り線５３とは逆側の端末線４５ａ，４８ａが軸方向に引き出されている。端末線４５ａ，４８ａは図示しない駆動回路と電気的に接続されることとなる。
【００４２】
図５に示すように、Ｖ相ステータ構成部４０の各絶縁部４９〜５２は、インシュレータ１２を構成するものであり、各分割コア４１〜４４と同数個、互いに独立して設けられる。つまり各Ｖ相ステータ構成部４０の各絶縁部４９〜５２同士は、互いに離間した非連結状態となっている。Ｖ相ステータ構成部４０の各絶縁部４９〜５２は、何れも略同形状であって分割コア４１〜４４に対して組み付け固定若しくは一体成形等により一体化されており、分割コア４１〜４４の各ティースＴと各Ｖ相巻線４５〜４８とを絶縁している。なお、絶縁部４９〜５２が分割コア４１〜４４に対して一体化された状態において、ティースＴの径方向内側面Ｔ１は、その大半が露出するようになっている。そのため、図示しないロータと径方向内側面Ｔ１とが径方向に対向することとなる。
【００４３】
各絶縁部４９〜５２は、自身の径方向内側において軸方向両側に延出する軸方向延出部５５ａ，５５ｂを有する。軸方向延出部５５ａ，５５ｂの内の軸方向一方側（上側）の軸方向延出部５５ａは、各Ｖ相巻線４５〜４８の巻き始め部分と巻き終わり部分とを案内する案内部５６を有する。案内部５６が設けられる側の軸方向延出部５５ａは、Ｕ相ステータ構成部２０の軸方向延出部３５ａよりも軸方向に延出し、Ｕ相ステータ構成部２０の連結部３７の第２延出部３９よりも軸方向長さが短い（つまり、軸方向に延出しない）構成となっている。
【００４４】
案内部５６は、Ｕ相ステータ構成部２０の案内部３６と略同様の構成であって、軸方向延出部５５ａの軸方向一方側の端部に設けられる第１及び第２案内部５６ａ，５６ｂと、軸方向延出部５５ａの周方向両側に設けられる第３案内部５６ｃ及び第４案内部５６ｄとを有する。
【００４５】
第１案内部５６ａは、各Ｖ相巻線４５〜４８の巻き始め部分を案内するものである。第１案内部５６ａは、下側に窪んだ溝であって略直線状をなすように構成される。
第２案内部５６ｂは、各Ｖ相巻線４５〜４８の巻き終わり部分を案内するものである。第２案内部５６ｂは、第１案内部５６ａよりも上側に位置し、軸方向視で第１案内部５６ａと交差するように設けられる。第２案内部５６ｂは、前記第１案内部５６ａと交差する箇所で第１案内部５６ａと連通している。
【００４６】
第３案内部５６ｃは、軸方向延出部５５ａの周方向一方側に設けられ、軸方向延出部５５ａの周方向中央側に窪んだ溝であって第１案内部５６ａと連通した溝である。つまり、第１案内部５６ａに案内されたＶ相巻線を、第３案内部５６ｃによって継続して案内することが可能となっている。
【００４７】
第４案内部５６ｄは、軸方向延出部５５ａの周方向他方側に設けられ、軸方向延出部５５ａの周方向中央側に窪んだ溝であって第２案内部５６ｂと連通した溝である。つまり、第２案内部５６ｂと第４案内部５６ｄによって連続してＶ相巻線を案内することが可能となっている。
【００４８】
そして、前述した各渡り線５３は、第１延出部３８の軸方向一方側（上側）に面する上側面３８ａの上側であって、第２延出部３９の径方向外側に面する径方向外側面３９ａに沿って配索される。
【００４９】
図３及び図６に示すように、Ｗ相ステータ構成部６０は、４つの分割コア６１〜６４と、巻線６５〜６８と、絶縁部６９〜７２とを有する。
Ｗ相ステータ構成部６０の各分割コア６１〜６４は、何れも同形状であって、周方向に略９０度間隔で設けられる。より具体的には、分割コア６１〜６４は、分割コア６１、分割コア６２、分割コア６３、分割コア６４の順で周方向９０度間隔となるように設けられる。
【００５０】
Ｗ相ステータ構成部６０の巻線６５〜６８は、各分割コア６１〜６４の各ティースＴに絶縁部６９〜７２を介して巻回される。本例の場合、巻線６５は、分割コア６１のティースＴに絶縁部６９を介して巻回される。巻線６６は、分割コア６２のティースＴに絶縁部７０を介して巻回される。巻線６７は、分割コア６３のティースＴに絶縁部７１を介して巻回される。巻線６８は、分割コア６４のティースＴに絶縁部７２を介して巻回される。
【００５１】
また、巻線６５〜６８は渡り線７３によって連結状態とされる。本例の場合、１つの導線を各ティースＴに連続して巻回することで巻線６５〜６８並びに渡り線７３が形成される。また、各巻線６５〜６８の巻回方向は、何れも同方向となっている。つまり、図示しない駆動回路（例えばインバータ回路）から各巻線６５〜６８に対してＷ相電流を供給すると、各巻線６５〜６８が巻回されたティースＴが同極となる。なお、以下の説明において各巻線６５〜６８を他の巻線と区別するべくＷ相巻線６５〜６８という。
【００５２】
また、Ｗ相ステータ構成部６０のＷ相巻線６５〜６８は、Ｕ相ステータ構成部２０のＵ相巻線２５〜２８及びＶ相ステータ構成部４０のＶ相巻線４５〜４８と同方向に巻回されている。
【００５３】
図２（ａ）に示すように、４つのＷ相巻線６５〜６８の内の２つのＷ相巻線６６，６７は、巻き始めの部分の引き出し部６６ａ，６７ａと巻き終わりの部分の引き出し部６６ｂ，６７ｂとが交差する交差部７４を有する。Ｗ相巻線６６，６７は、その巻き始めの部分と巻き終わりの部分である交差部７４が絶縁部７０，７１の径方向内側寄りに設けられる案内部７６に嵌入されている。また、４つのＷ相巻線６５〜６８の内の２つのＷ相巻線６５，６８は、渡り線７３とは逆側の端末線６５ａ，６８ａが軸方向に引き出されている。端末線６５ａ，６８ａは図示しない駆動回路と電気的に接続されることとなる。
【００５４】
図６に示すように、Ｗ相ステータ構成部６０の各絶縁部６９〜７２は、インシュレータ１２を構成するものであり、各分割コア６１〜６４と同数個、互いに独立して設けられる。つまり各Ｗ相ステータ構成部６０の各絶縁部６９〜７２同士は、互いに離間した非連結状態となっている。Ｗ相ステータ構成部６０の各絶縁部６９〜７２は、何れも略同形状であって分割コア６１〜６４に対して組み付け固定若しくは一体成形等により一体化されており、分割コア６１〜６４の各ティースＴと各Ｗ相巻線６５〜６８とを絶縁している。なお、絶縁部６９〜７２が分割コア６１〜６４に対して一体化された状態において、ティースＴの径方向内側面Ｔ１は、その大半が露出するようになっている。そのため、図示しないロータと径方向内側面Ｔ１とが径方向に対向することとなる。
【００５５】
各絶縁部６９〜７２は、自身の径方向内側において軸方向両側に延出する軸方向延出部７５ａ，７５ｂを有する。軸方向延出部７５ａ、７５ｂの内の軸方向一方側（上側）の軸方向延出部７５ａは、各Ｗ相巻線６５〜６８の巻き始め部分と巻き終わり部分とを案内する案内部７６を有する。案内部７６が設けられる側の軸方向延出部７５ａは、Ｕ相ステータ構成部２０の軸方向延出部３５ａ及びＶ相ステータ構成部４０の軸方向延出部５５ａよりも軸方向に延出し、Ｕ相ステータ構成部２０の連結部３７の第２延出部３９よりも軸方向長さが短い（つまり、軸方向に延出しない）構成となっている。
【００５６】
案内部７６は、Ｕ相ステータ構成部２０の案内部３６及びＶ相ステータ構成部４０の案内部５６と略同様の構成であって、軸方向延出部７５ａの軸方向一方側の端部に設けられる第１及び第２案内部７６ａ，７６ｂと、軸方向延出部７５ａの周方向両側に設けられる第３案内部７６ｃ及び第４案内部７６ｄとを有する。
【００５７】
第１案内部７６ａは、各Ｗ相巻線６５〜６８の巻き始め部分を案内するものである。第１案内部７６ａは、下側に窪んだ溝であって略直線状をなすように構成される。
第２案内部７６ｂは、各Ｗ相巻線６５〜６８の巻き終わり部分を案内するものである。第２案内部７６ｂは、第１案内部７６ａよりも上側に位置し、軸方向視で第１案内部７６ａと交差するように設けられる。第２案内部７６ｂは、前記第１案内部７６ａと交差する箇所で第１案内部７６ａと連通している。
【００５８】
第３案内部７６ｃは、軸方向延出部７５ａの周方向一方側に設けられ、軸方向延出部７５ａの周方向中央側に窪んだ溝であって第１案内部７６ａと連通した溝である。つまり、第１案内部７６ａに案内されたＷ相巻線を、第３案内部７６ｃによって継続して案内することが可能となっている。
【００５９】
第４案内部７６ｄは、軸方向延出部７５ａの周方向他方側に設けられ、軸方向延出部７５ａの周方向中央側に窪んだ溝であって第２案内部７６ｂと連通した溝である。つまり、第２案内部７６ｂと第４案内部７６ｄによって連続してＷ相巻線を案内することが可能となっている。
【００６０】
そして、前述した各渡り線７３は、第１延出部３８の軸方向一方側（上側）に面する上側面３８ａの上側であって、第２延出部３９の径方向外側に面する径方向外側面３９ａに沿って配索される。
【００６１】
上記のように構成されたＵ相ステータ構成部２０、Ｖ相ステータ構成部４０及びＷ相ステータ構成部６０は、軸方向に組み付けられる。Ｕ相ステータ構成部２０、Ｖ相ステータ構成部４０及びＷ相ステータ構成部６０は、組み付け状態において周方向に隣り合う絶縁部２９〜３２，４９〜５２，６９〜７２同士が間隙Ｋ１を有して離間するようになっている。また、Ｖ相ステータ構成部４０及びＷ相ステータ構成部６０の絶縁部４９〜５２，６９〜７２は、径方向においてＵ相ステータ構成部２０の連結部３７と間隙Ｋ２を有して離間するようになっている。そのため、組み付け時に絶縁部２９〜３２，４９〜５２，６９〜７２同士の干渉（接触）が抑えられ、組み付け作業性の向上に寄与できる。
【００６２】
図２（ａ）に示すように、本例のステータ１０は、Ｕ相ステータ構成部２０、Ｖ相ステータ構成部４０及びＷ相ステータ構成部６０を組み付けた状態で、周方向一方側（図２（ａ）において反時計回り方向）においてＵ相電流が供給されるＵ相巻線２５〜２８、Ｖ相電流が供給されるＶ相巻線４５〜４８、Ｗ相電流が供給されるＷ相巻線６５〜６８の順で配置される。より具体的には、Ｕ相巻線２５を基準として、周方向一方側に、Ｖ相巻線４５、Ｗ相巻線６５、Ｕ相巻線２８、Ｖ相巻線４８、Ｗ相巻線６８、Ｕ相巻線２７、Ｖ相巻線４７、Ｗ相巻線６７、Ｕ相巻線２６、Ｖ相巻線４６、Ｗ相巻線６６の順で配置される。
【００６３】
図９には、Ｕ相ステータ構成部２０、Ｖ相ステータ構成部４０及びＷ相ステータ構成部６０を組み付けた状態における各巻線２５〜２８，４５〜４８，６５〜６８の結線態様が示されている。なお、１〜６の数字にて軸方向における渡り線３３，５３，７３の位置を示しており、値が小さいほど軸方向において連結部３７の第１延出部３８寄りであることを示し、値が大きいほど軸方向において連結部３７の第１延出部３８から離間する位置であることを示している。以下の説明では、軸方向における渡り線の位置が近いものから順に１層、２層、…、５層、６層というように表現する。なお、各層は巻線２５〜２８，４５〜４８，６５〜６８及び渡り線３３，５３，７３を構成する導線の１本分の直径に相当する。
【００６４】
図９に示すように、Ｕ相ステータ構成部２０の巻線２５〜２８間を接続する渡り線３３は、軸方向においてティースＴに最も近く、巻線２５〜２８の巻き終わり部分が１層目となり、巻線２５〜２８の巻き始め部分が２層目となっている。
【００６５】
図９に示すように、Ｗ相ステータ構成部６０の巻線６５〜６８間を接続する渡り線７３は、軸方向においてティースＴに最も遠く、巻線６５〜６８の巻き終わり部分が５層目となり、巻線６５〜６８の巻き始め部分が６層目となっている。
【００６６】
図９に示すように、Ｖ相ステータ構成部４０の巻線４５〜４８間を接続する渡り線５３は、軸方向においてＵ相ステータ構成部２０の渡り線３３とＷ相ステータ構成部６０の渡り線７３との間に位置し、巻線４５〜４８の巻き終わり部分が３層目となり、巻線４５〜４８の巻き始め部分が４層目となっている。
【００６７】
上述した結線態様とすることで、渡り線３３，５３，７３同士の干渉が抑えられる。また、渡り線３３，５３，７３は１層目〜６層目までである。そのため、図８に示すように、第２延出部３９の第１延出部３８からの軸方向長さＬ１を、導線を計６本軸方向に積層した高さと略同じ長さとすることで、渡り線３３，５３，７３が第２延出部３９よりも軸方向に飛び出すことが抑えられるため、渡り線３３，５３，７３が他の部材と干渉することが抑えられる。
【００６８】
次に、上記構成のステータ１０の製造方法について説明する。
先ず、図３及び図４に示すように、インシュレータ１２を構成する絶縁部２９〜３２と分割コア２１〜２４を一体化する。このとき、各絶縁部２９〜３２は連結部３７によって連結されるため、複数の絶縁部２９〜３２と複数の分割コア２１〜２４とを一体化することで１１つのアッセンブリが形成される。
【００６９】
図３及び図５に示すように、インシュレータ１２を構成する絶縁部４９〜５２と分割コア４１〜４４を一体化する。このとき、絶縁部４９〜５２は、独立した状態で各分割コア４１〜４４と一体化される。
【００７０】
図３及び図６に示すように、インシュレータ１２を構成する絶縁部６９〜７２に分割コア６１〜６４を一体化する。このとき、絶縁部６９〜７２は、独立した状態で各分割コア６１〜６４と一体化される。
【００７１】
続いて、図３及び図４に示すように、分割コア２１〜２４の各ティースＴに対して径方向外側から巻線２５〜２８を図示しないフライヤ装置を用いて巻回して、分割コア２１〜２４の各ティースＴに複数の巻線２５〜２８が形成されたＵ相ステータ構成部２０を形成する。このとき、巻線２５〜２８を１つの導線によって形成するため、各巻線２５〜２８間に渡り線３３が形成される。Ｕ相ステータ構成部２０の渡り線３３は、図３に示すように、連結部３７に沿って配索される。より具体的には、第１延出部３８の軸方向一方側（上側）に面する上側面３８ａの上側であって、第２延出部３９の径方向外側に面する径方向外側面３９ａに沿って渡り線３３が配索される。
【００７２】
同様に、図３及び図５に示すように、分割コア４１〜４４の各ティースＴに対して径方向外側から巻線４５〜４８を前記フライヤ装置を用いて巻回して、分割コア４１〜４４の各ティースＴに複数の巻線４５〜４８が形成されたＶ相ステータ構成部４０を形成する。このとき、巻線４５〜４８を１つの導線によって形成するため、各巻線４５〜４８間に渡り線５３が形成される。つまり、Ｖ相ステータ構成部４０は、各絶縁部４９〜５２が独立した状態であり、巻線４５〜４８によって連結された状態となっている。
【００７３】
また、図３及び図６に示すように、分割コア６１〜６４の各ティースＴに対して径方向外側から巻線６５〜６８を前記フライヤ装置を用いて巻回して、分割コア６１〜６４の各ティースＴに複数の巻線６５〜６８が形成されたＷ相ステータ構成部６０を形成する。このとき、巻線６５〜６８を１つの導線によって形成するため、各巻線６５〜６８間に渡り線７３が形成される。つまり、Ｗ相ステータ構成部６０は、各絶縁部６９〜７２が独立した状態であり、巻線６５〜６８によって連結された状態となっている。
【００７４】
また、図４に示すように、巻線２５，２８の端末線２５ａ，２８ａについては、ティースＴの径方向内側寄りに位置する第３及び第４案内部３６ｃ，３６ｄからステータ１０の軸方向一方側（上側）に導出させる。同様に、図５に示すように、巻線４５，４８の端末線４５ａ，４８ａについては、ティースＴの径方向内側寄りに位置する第３及び第４案内部５６ｃ，５６ｄからステータ１０の軸方向一方側（上側）に導出させる。また、図６に示すように、巻線６５，６８の端末線６５ａ，６８ａについては、ティースＴの径方向内側寄りに位置する第３及び第４案内部７６ｃ，７６ｄからステータ１０の軸方向一方側に導出させる。そして、このようにして、Ｕ相ステータ構成部２０、Ｖ相ステータ構成部４０及びＷ相ステータ構成部６０を形成する（ステータ構成部形成工程）。
【００７５】
続いて、図３に示すように、Ｕ相ステータ構成部２０に対し、Ｖ相ステータ構成部４０を周方向に所定の角度ずらした状態で、Ｖ相ステータ構成部４０を軸方向一方側（上側）からＵ相ステータ構成部２０に組み付ける。このとき、Ｖ相ステータ構成部４０の渡り線５３は、連結部３７に沿って配索される。より具体的には、第１延出部３８の軸方向一方側（上側）に面する上側面３８ａの上側であって、第２延出部３９の径方向外側に面する径方向外側面３９ａに沿って渡り線５３が配索される。
【００７６】
また、Ｖ相ステータ構成部４０並びにＵ相ステータ構成部２０に対し、Ｗ相ステータ構成部６０を周方向に所定の角度ずらした状態でＷ相ステータ構成部６０を軸方向一方側（上側）からＶ相ステータ構成部４０及びＵ相ステータ構成部２０に組み付ける。このとき、Ｗ相ステータ構成部６０の渡り線７３は、連結部３７に沿って配索される。より具体的には、第１延出部３８の軸方向一方側（上側）に面する上側面３８ａの上側であって、第２延出部３９の径方向外側に面する径方向外側面３９ａに沿って渡り線７３が配索される。
【００７７】
上述したように、Ｕ相ステータ構成部２０、Ｖ相ステータ構成部４０及びＷ相ステータ構成部６０を互いに組み付けてステータ１０が完成する。
本実施形態の作用を説明する。
【００７８】
本実施形態のステータ１０は、Ｕ相ステータ構成部２０の絶縁部２９〜３２同士が１つの連結部３７によって連結され、Ｖ相ステータ構成部４０の絶縁部４９〜５２及びＷ相ステータ構成部６０の絶縁部６９〜７２は独立している。このため、従来のように各ステータ構成部の絶縁部に連結部を設ける場合と比較して、各ステータ構成部を軸方向に組み付ける際に連結部が軸方向に大型化し辛い構成となる。特に複数の連結部でなく、単一の連結部であるため、複数の連結部の場合に必要だった複数の連結部間の隙間を設ける必要がなくなるため、更なる軸方向の大型化が抑えられている。
【００７９】
本実施形態の効果を記載する。
（１）分割コア４１〜４４，６１〜６４のティースＴに巻回された巻線４５〜４８，６５〜６８が渡り線５３，７３によって連結されるとともに、渡り線５３，７３によって連結された各分割コア４１〜４４，６１〜６４に対応する絶縁部４９〜５２，６９〜７２同士が独立して設けられてなるステータ構成部４０，６０を備える。このように、絶縁部４９〜５２，６９〜７２同士が独立して設けられるＶ相ステータ構成部４０及びＷ相ステータ構成部６０を備えることで、各絶縁部４９〜５２，６９〜７２同士が非連結状態とされるため、従来構成において全てのステータ構成部のそれぞれに設けていた連結部を一部省略することとなり、軸方向への大型化が抑えられる。
【００８０】
（２）複数の渡り線３３，５３，７３の全てが、軸方向一方側に配置されるため、渡り線３３，５３，７３を軸方向両側に分散して配置した場合と比較して軸方向への大型化を抑えることができる。
【００８１】
（３）各相ステータ構成部２０，４０，６０の各分割コア２１〜２４，４１〜４４，６１〜６４が互いに分割コア１個分以上の隙間を空けて配置されるため、径方向外側からフライヤ装置によって巻線２５〜２８，４５〜４８，６５〜６８を巻回する際にフライヤ装置が他のステータ構成部２０，４０，６０と干渉することが抑えられる。
【００８２】
（４）分割コア２１〜２４のティースＴに巻回された巻線２５〜２８が渡り線３３によって連結されるとともに、渡り線３３によって連結された各分割コア２１〜２４に対応する絶縁部２９〜３２同士が連結部３７によって連結状態とされる第２ステータ構成部としてのＵ相ステータ構成部２０を有する。つまり、Ｖ相ステータ構成部４０及びＷ相ステータ構成部６０に加えてＵ相ステータ構成部２０を備えることで、連結部３７を備えつつ軸方向への大型化が抑えられる。
【００８３】
（５）連結部３７には、Ｕ相ステータ構成部２０の渡り線３３のみならず、Ｖ相ステータ構成部４０及びＷ相ステータ構成部６０の渡り線５３，７３が連結部３７に沿って設けられるため、軸方向への大型化を抑えつつ、連結部３７をＶ相ステータ構成部４０及びＷ相ステータ構成部６０の渡り線５３，７３のガイド部材として用いることができる。
【００８４】
（６）第１案内部３６ａと第２案内部３６ｂとを有する絶縁部２９〜３２が、周方向に隣り合う他の絶縁部２９〜３２の第１案内部３６ａ及び第２案内部３６ｂと巻線２５〜２８を案内する位置が軸方向において異なるため、巻線２５〜２８と接続される渡り線３３同士が干渉することを抑えることができる。
【００８５】
（７）絶縁部２９〜３２同士が互いに間隙Ｋ１，Ｋ２を有することで、Ｖ相ステータ構成部４０とＷ相ステータ構成部６０とＵ相ステータ構成部２０とを組み付ける際に絶縁部２９〜３２同士が接触することが抑えられ、組み付け性向上に寄与できる。
【００８６】
（第２実施形態）
次に、ステータの第２実施形態について説明する。なお、以下の説明において、第１実施形態との相違点を中心に説明し、第１実施形態と同様の構成については同一の符号を付して説明の一部又は全部を割愛する。
【００８７】
図１０に示すように、ステータ８０は、第１実施形態同様にＵ相ステータ構成部２０と、Ｖ相ステータ構成部８１と、Ｗ相ステータ構成部６０とを有する。Ｕ相ステータ構成部２０及びＷ相ステータ構成部６０は、第１実施形態と同様の構成となっている。
【００８８】
Ｖ相ステータ構成部８１は、第１実施形態同様に４つの分割コア４１〜４４と、巻線８２〜８５と、絶縁部４９〜５２とを有する。
Ｖ相ステータ構成部８１のＶ相巻線８２〜８５は、第１実施形態同様に、各分割コア４１〜４４の各ティースＴに絶縁部４９〜５２を介して巻回される。各Ｖ相巻線８２〜８５は渡り線８６によって連結状態とされる。本例の場合、１つの導線を各ティースＴに連続して巻回することでＶ相巻線８２〜８５並びに渡り線８６が形成される。また、各相巻線８２〜８５の巻回方向は、何れも同方向となっている。つまり、図示しない駆動回路（例えばインバータ回路）から各Ｖ相巻線８２〜８５に対してＶ相電流を供給すると、各Ｖ相巻線８２〜８５が巻回されたティースＴが同極となる。
【００８９】
Ｖ相ステータ構成部８１のＶ相巻線８２〜８５は、その巻回方向がＵ相ステータ構成部２０のＵ相巻線２５〜２８及びＷ相ステータ構成部６０のＷ相巻線６５〜６８の巻回方向と逆向きとなっている。これにより、Ｖ相ステータ構成部８１のＶ相巻線８２〜８５のティースＴに対する巻き始め部分と巻き終わり部分の交差部８７が、他の相のステータ構成部であるＵ相ステータ構成部２０及びＷ相ステータ構成部６０の巻線２５〜２８，６５〜６８のティースＴに対する巻き始め部分と巻き終わり部分の交差部３４，７４とで逆となっている。なお、Ｖ相ステータ構成部８１のＶ相巻線８２〜８５の交差部８７を案内する案内部８８についてもＵ相ステータ構成部２０のＵ相巻線２５〜２８を案内する案内部３６やＷ相ステータ構成部６０のＷ相巻線６５〜６８を案内する案内部７６と逆となっている。ここで、Ｖ相ステータ構成部８１の渡り線８６は、Ｕ相ステータ構成部２０、Ｖ相ステータ構成部８１及びＷ相ステータ構成部６０の内で渡り線３３，７３，８６の軸方向における位置が中間位置となっている。
【００９０】
ところで、Ｕ相ステータ構成部２０、Ｖ相ステータ構成部８１及びＷ相ステータ構成部６０の何れであっても、巻線２５〜２８，８２〜８５，６５〜６８をティースＴに巻回する際に、ティースＴに対して巻き終わりとなる部分である引き出し部２６ａ，２７ａ，８３ａ，８４ａ，６６ａ，６７ａが巻き始めの部分である引き出し部２６ｂ，２７ｂ，８３ｂ，８４ｂ，６６ｂ，６７ｂよりもティースＴから軸方向に離間する位置となる。また、同じ相のステータ構成部の各巻線２５〜２８，８２〜８５，６５〜６８のティースＴに対する巻き始めの部分である引き出し部２６ａ，２７ａ，８３ａ，８４ａ，６６ａ，６７ａの軸方向位置は略同じであり、同様にティースＴに対する巻き終わり部分である引き出し部２６ｂ，２７ｂ，８３ｂ，８４ｂ，６６ｂ，６７ｂの軸方向位置は略同じとなる。より具体的には、引き出し部２６ａ，２７ａ同士の軸方向位置は略同じであり、引き出し部２６ｂ，２７ｂ同士の軸方向位置は略同じである。同様に、引き出し部８３ａ，８４ａ同士の軸方向位置は略同じあり、引き出し部８３ｂ，８４ｂ同士の軸方向位置は略同じである。また、引き出し部６６ａ，６７ａ同士の軸方向位置は略同じであり、引き出し部６６ｂ，６７ｂ同士の軸方向位置は略同じである。
【００９１】
図１１には、Ｕ相ステータ構成部２０、Ｖ相ステータ構成部８１及びＷ相ステータ構成部６０を組み付けた状態における各巻線２５〜２８，８２〜８５，６５〜６８の結線態様が示されている。なお、１〜５の数字にて軸方向における渡り線３３，８６，７３の位置を示しており、値が小さいほど軸方向において連結部３７の第１延出部３８寄りであることを示し、値が大きいほど軸方向において連結部３７の第１延出部３８から離間する位置であることを示している。以下の説明では、軸方向における渡り線の位置が近いものから順に１層、２層、３層、４層、５層というように表現する。なお各層は巻線２５〜２８，８２〜８５，６５〜６８及び渡り線３３，８６，７３を構成する導線の１本分の直径に相当する。
【００９２】
ここで、第１実施形態の結線態様と本実施形態の結線態様とを比較する。
図１１に示すように、Ｕ相ステータ構成部２０、Ｖ相ステータ構成部８１及びＷ相ステータ構成部６０の渡り線３３，８６，７３の内で、軸方向において中間位置となるＶ相ステータ構成部８１の渡り線８６と連続するＶ相巻線８２〜８５が、他のＵ相巻線２５〜２８及びＷ相巻線６５〜６８と逆巻きに巻回されている。これにより、各Ｖ相巻線８３，８４の巻き始め部分である引き出し部８３ａ，８４ａは、他のＵ相巻線２６，２７の引き出し部２６ａ，２７ａ及びＷ相巻線６６，６７の引き出し部６６ａ，６７ａと周方向において逆方向に引き出される。各Ｖ相巻線８３，８４の巻き終わり部分である引き出し部８３ｂ，８４ｂは、他のＵ相巻線２６，２７の引き出し部２６ｂ，２７ｂ及びＷ相巻線６６，６７の引き出し部６６ａ，６７ａと周方向において逆方向に引き出される。
【００９３】
例えば、第１実施形態のように交差部３４，５４，７４が同方向に巻回された場合、中間に位置する渡り線５３と接続される巻線４６，４７の巻き始め部分である引き出し部４６ａ，４７ａが周方向一方側で隣接する巻線２６，２７の巻き終わり部分である引き出し部２６ｂ，２７ｂと近接する位置となる。同様に、中間に位置する渡り線５３と接続される巻線４６，４７の巻き終わり部分である引き出し部４６ｂ，４７ｂが周方向他方側で隣接する巻線６６，６７の巻き始め部分である引き出し部６６ａ，６７ａと近接する位置となる。つまり、軸方向において相対的に近接しやすい巻き始め部分である引き出し部４６ａ，４７ａと巻き終わり部分である引き出し部２６ｂ，２７ｂとが周方向に近接し、同様に軸方向において相対的に近接しやすい巻き終わり部分である引き出し部４６ｂ，４７ｂと巻き始め部分である６６ａ，６６ｂとが周方向に近接する。
【００９４】
図１１に示すように、本実施形態のようにＶ相巻線８２〜８５（交差部８７）を他のＵ相巻線２５〜２８（交差部３４）及びＷ相巻線６５〜６８（交差部７４）と逆巻きに巻回すると、中間に位置する渡り線８６と接続される巻線８３，８４の巻き終わり部分である引き出し部８３ｂ，８４ｂが周方向一方側で隣接する巻線２６，２７の巻き終わり部分である引き出し部２６ｂ，２７ｂと近接することとなる。同様に、中間に位置する渡り線８６と接続される巻線８３，８４の巻き始め部分である引き出し部８３ａ，８４ａが周方向他方側で隣接する巻線６６，６７の巻き始め部分である引き出し部６６ａ，６７ａと近接することとなる。つまり、軸方向において相対的に離間しやすい、巻き始め部分である引き出し部８３ｂ，８４ｂ及び引き出し部２６ｂ，２７ｂが周方向に近接し、同様に軸方向において相対的に離間しやすい、巻き終わり部分である引き出し部８３ａ，８４ａ及び引き出し部６６ａ，６６ｂが周方向に近接する。
【００９５】
上述した構成を採用することで渡り線３３，８６，７３を軸方向において効率的に配置することができる。より詳しくは、図１１に示すように、Ｕ相ステータ構成部２０の巻線２５〜２８間を接続する渡り線３３は、軸方向においてティースＴに最も近く、巻線２５〜２８の巻き終わり部分が１層目となり、巻線２５〜２８の巻き始め部分が２層目となっている。Ｗ相ステータ構成部６０の巻線６５〜６８間を接続する渡り線７３は、軸方向においてティースＴに最も遠く、巻線６５〜６８の巻き終わり部分が４層目となり、巻線６５〜６８の巻き始め部分が５層目となっている。Ｖ相ステータ構成部８１の巻線８２〜８５間を接続する渡り線８６は、軸方向においてＵ相ステータ構成部２０の渡り線３３とＷ相ステータ構成部６０の渡り線７３との間である中間位置に位置し、巻線８２〜８５の巻き終わり部分が３．５層目（３層目と４層目の間）となり、巻線８２〜８５の巻き始め部分が２．５層目（２層目と３層目の間）となっている。
【００９６】
本実施形態の作用を説明する。
本実施形態のステータ８０は、軸方向に組み付けられる各ステータ構成部２０，８１，６０の内で渡り線３３，８６，７３の位置が軸方向において中間位置となるＶ相ステータ構成部８１について巻線８２の巻回方向を、他の相のステータ構成部２０，６０の巻線２５〜２８，６５〜６８の巻回方向と逆向きとしている。
【００９７】
以上説明したステータ８０によれば、第１実施形態の（１）〜（７）の効果に加えて以下の効果を奏する。
（８）Ｕ相ステータ構成部２０とＶ相ステータ構成部８１とＷ相ステータ構成部６０とを軸方向に組み付けた状態で、軸方向において中間に位置する渡り線８６と接続されるＶ相巻線８３，８４の交差部８７が、他の巻線２６，２７，６６，６７の交差部３４，７４と比較して逆巻きとされる。ここで、各巻線は巻き始め部分と巻き終わり部分との交差部３４，７４，８６において巻き始め部分が内側となり、巻き終わり部分が外側となる。このため、交差部３４，７４，８７を軸方向の一方側に設定すると、巻き始め部分が相対的に軸方向他方側に位置し、巻き終わり部分が相対的に軸方向一方側に位置する。そのため、周方向に引き回される渡り線３３，８６，７３についても巻線２６，２７，８３，８４，６６，６７の巻き終わり部分と連続する部位が相対的に軸方向一方側に位置し、巻線２６，２７，８３，８４，６６，６７の巻き始め部分と連続する部位が相対的に軸方向他方側に位置する。例えば、全ての巻線について交差部が同方向に巻回された場合、中間に位置する渡り線と接続される巻線の巻き始め部分が周方向一方側で隣接する巻線の巻き終わり部分と近接する位置となる。同様に、中間に位置する渡り線と接続される巻線の巻き終わり部分が周方向他方側で隣接する巻線の巻き始め部分と近接する位置となる。一方、前述したように軸方向において中間に位置する渡り線８６と接続される巻線８３，８４の交差部８７が他の渡り線３３，７３と接続される巻線２６，２７，６６，６７の交差部３４，７４と比較して逆巻きとする場合、渡り線８６と接続される巻線８３，８４の巻き終わり部分が周方向一方側で隣接する巻線２６，２７の巻き終わり部分と近接することとなる。同様に、中間に位置する渡り線８６と接続される巻線８３，８４の巻き始め部分が周方向他方側で隣接する巻線６６，６７の巻き始め部分と近接することとなる。ここで、近接する部分がいずれも巻き終わり部分同士又はいずれも巻き始め部分同士であるため、互いに干渉しないように十分に距離を確保しやすく、渡り線３３，８６，７３同士を軸方向に近接し易くでき、軸方向への大型化が抑えられる。
【００９８】
（第３実施形態）
次に、ステータの第３実施形態について説明する。なお、以下の説明において、第１実施形態との相違点を中心に説明し、第１実施形態と同様の構成については同一の符号を付して説明の一部又は全部を割愛する。
【００９９】
図１２に示すように、ステータ１００は、第１実施形態同様にＵ相ステータ構成部２０と、Ｖ相ステータ構成部１０１と、Ｗ相ステータ構成部６０とを有する。Ｕ相ステータ構成部２０及びＷ相ステータ構成部６０は、第１実施形態と同様の構成となっている。
【０１００】
Ｖ相ステータ構成部１０１は、第１実施形態同様に４つの分割コア４１〜４４と、巻線１０２〜１０５と、絶縁部４９〜５２とを有する。
Ｖ相ステータ構成部１０１のＶ相巻線１０２〜１０５は、第１実施形態同様に、各分割コア４１〜４４の各ティースＴに絶縁部４９〜５２を介して巻回される。各Ｖ相巻線１０２〜１０５は渡り線１０６によって連結状態とされる。本例の場合、１つの導線を各ティースＴに連続して巻回することでＶ相巻線１０２〜１０５並びに渡り線１０６が形成される。また、各Ｖ相巻線１０２〜１０５の巻回方向は、何れも同方向となっている。つまり、図示しない駆動回路（例えばインバータ回路）から各Ｖ相巻線１０２〜１０５に対してＶ相電流を供給すると、各Ｖ相巻線１０２〜１０５が巻回されたティースＴが同極となる。
【０１０１】
図１３に示すように、４つのＶ相巻線１０２〜１０５の内の２つのＶ相巻線１０２，１０５は、渡り線１０６とは逆側の端末線１０２ａ，１０５ａが軸方向に引き出される。
図１２に示すように、Ｖ相ステータ構成部１０１の渡り線１０６は、他の渡り線３３，７３と比較して径方向外側にずらして配索される。より具体的には、他の渡り線３３，７３と軸方向に重ならないように渡り線１０６の直径と同程度、径方向外側にずらして配索される。これによって、他の渡り線３３，７３の軸方向間にＶ相ステータ構成部１０１の渡り線１０６が配索されない構成となっている。なお、このような構成を採用する場合、Ｕ相ステータ構成部２０の連結部３７は、第１延出部３８の径方向長さが渡り線３３，７３，１０６を径方向に２本並べた分以上の長さを有することが好ましい。第１延出部３８の径方向長さを、渡り線３３，７３，１０６を径方向２本並べた分以上の長さを有することで、各渡り線３３，７３，１０６が径方向外側に位置する各巻線２５〜２８，６５〜６８，１０２〜１０５と接触することが抑えられる。
【０１０２】
図１２に示すように、本例のステータ１００は、Ｕ相ステータ構成部２０、Ｖ相ステータ構成部１０１及びＷ相ステータ構成部６０を組み付けた状態で、周方向一方側（図１２において反時計回り方向）において上記第１実施形態及び第２実施形態と異なっている。具体的には、Ｕ相巻線２５を基準として、周方向一方側に、Ｗ相巻線６５、Ｖ相巻線１０２、Ｕ相巻線２８、Ｗ相巻線６８、Ｖ相巻線１０５、Ｕ相巻線２７、Ｗ相巻線６７、Ｖ相巻線１０４、Ｕ相巻線２６、Ｗ相巻線６６、Ｖ相巻線１０３の順で配置される。つまり、第１及び第２実施形態と比較してＶ相巻線１０２〜１０５とＷ相巻線６５〜６８との位置が入れ替わっている。
【０１０３】
図１３には、Ｕ相ステータ構成部２０、Ｖ相ステータ構成部１０１及びＷ相ステータ構成部６０を組み付けた状態における各巻線２５〜２８，１０２〜１０５，６５〜６８の結線態様が示されている。なお、１〜４の数字にて軸方向における渡り線３３，１０６，７３の位置を示しており、値が小さいほど軸方向において連結部３７の第１延出部３８寄りであることを示し、値が大きいほど軸方向において連結部３７の第１延出部３８から離間する位置であることを示している。下の説明では、軸方向における渡り線の位置が近いものから順に１層、２層、３層、４層というように表現する。なお各層は巻線２５〜２８，１０２〜１０５，６５〜６８及び渡り線３３，１０６，７３を構成する導線の１本分の直径に相当する。
【０１０４】
図１３に示すように、Ｕ相ステータ構成部２０の巻線２５〜２８間を接続する渡り線３３は、軸方向においてティースＴに最も近く、巻線２５〜２８の巻き始め部分である引き出し部２６ａ，２７ａが１層目となり、巻線２５〜２８の巻き終わり部分である引き出し部２６ｂ，２７ｂが２層目となっている。
【０１０５】
図１３に示すように、Ｗ相ステータ構成部６０の巻線６５〜６８間を接続する渡り線７３は、軸方向においてティースＴに最も遠く、巻線６５〜６８の巻き始め部分である引き出し部６６ａ，６７ａが３層目となり、巻線６５〜６８の巻き終わり部分である引き出し部６６ｂ，６７ｂが４層目となっている。
【０１０６】
図１３に示すように、Ｖ相ステータ構成部１０１の巻線１０２〜１０５の巻き始め部分である引き出し部１０３ａ，１０４ａが１層目となり、巻線１０２〜１０５の巻き終わり部分である引き出し部１０３ｂ，１０４ｂが４層目となっている。つまり、Ｖ相ステータ構成部１０１の引き出し部１０３ａ，１０４ａはＵ相ステータ構成部２０の引き出し部２６ａ，２７ａと軸方向において略同位置となり、Ｖ相ステータ構成部１０１の引き出し部１０３ｂ，１０４ｂはＷ相ステータ構成部６０の引き出し部６６ｂ，６７ｂと軸方向において略同位置となっている。
【０１０７】
次に、本実施形態の作用を説明する。
本実施形態のステータ１００は、Ｕ相ステータ構成部２０、Ｖ相ステータ構成部１０１及びＷ相ステータ構成部６０の内で、Ｖ相ステータ構成部１０１の渡り線１０６を他の渡り線３３，７３に対して径方向にずらして配置される。これにより、渡り線１０６が他の渡り線３３，７３と軸方向において重なることが抑えられている。
【０１０８】
以上説明したステータ１００によれば、第１実施形態の（１）〜（７）の効果に加えて以下の効果を奏する。
（９）渡り線１０６が他の渡り線３３，７３に対して径方向にずらして配設されるため、渡り線１０６が他の渡り線３３，７３と軸方向において重なることが抑えられ、例えば全ての渡り線を軸方向に並べて配設した場合と比較して軸方向長さを抑えることができ、軸方向の大型化が抑えられる。
【０１０９】
（第４実施形態）
次に、ステータの第４実施形態について説明する。なお、以下の説明において、第１実施形態との相違点を中心に説明し、第１実施形態と同様の構成については同一の符号を付して説明の一部又は全部を割愛する。
【０１１０】
図２１及び図２２に示すように、ステータ１１０は、第１実施形態同様にＵ相ステータ構成部１１１と、Ｖ相ステータ構成部４０と、Ｗ相ステータ構成部６０とを有する。Ｖ相ステータ構成部４０及びＷ相ステータ構成部６０は、第１実施形態と同様の構成となっている。
【０１１１】
本実施形態のＵ相ステータ構成部１１１は、第１実施形態同様に４つの分割コア２１〜２４と、巻線２５〜２８と、絶縁部１１２〜１１５とを有する。
本実施形態のＵ相ステータ構成部１１１の絶縁部１１２〜１１５は、第１実施形態と異なり、それぞれの絶縁部１１２〜１１５が独立した状態で設けられる。つまり、第１実施形態の連結部３７が省略された構成となっている。つまり、Ｕ相ステータ構成部１１１は、Ｖ相ステータ構成部４０及びＷ相ステータ構成部６０と類似の構成となっている。
【０１１２】
Ｕ相ステータ構成部１１１の渡り線３３は、ステータ１１０の径方向内側を避けるように周方向に引き回されている。このため、ステータ１１０をロータと組み付けた際に、ロータと渡り線３３とが干渉することが抑えられている。
【０１１３】
本実施形態の作用を説明する。
本実施形態のステータ１１０は、Ｕ相ステータ構成部１１１の絶縁部１１２〜１１５、Ｖ相ステータ構成部４０の絶縁部４９〜５２及びＷ相ステータ構成部６０の絶縁部６９〜７２は独立している。このため、従来のように各ステータ構成部の絶縁部に連結部を設ける場合と比較して、大型化が抑えられている。
【０１１４】
以上説明したステータ１１０によれば、第１実施形態の（１）〜（３）の効果と同様の効果を奏する。
なお、上記各実施形態は、以下のように変更して実施することができる。上記各実施形態及び以下の変更例は、技術的に矛盾しない範囲で互いに組み合わせて実施することができる。
【０１１５】
・上記各実施形態では、巻線の数が１２個、すなわちスロット数が１２のステータに適用したが、これに限らず、例えばロータの磁極数との兼ね合いでその数は適宜変更してもよい。
【０１１６】
・図１４に示すように、各ステータ構成部２０，４０，６０の渡り線３３，５３，７３を接触させた状態としてもよい。このような構成とすることで、渡り線３３，５３，７３間の隙間が抑えられて軸方向への大型化を抑えることが可能となる。なお、図１４に示す例では、各渡り線３３，５３，７３は例えば絶縁被膜によって絶縁されており、電気的に接続された状態ではない。
【０１１７】
・図１５に示すように、各ステータ構成部２０，４０，６０の渡り線３３，５３，７３を離間させた状態としてもよい。このような構成とすることで、渡り線３３，５３，７３同士を離間させて絶縁信頼性の向上に寄与できる。
【０１１８】
・図１６に示すように、径方向に各ステータ構成部２０，４０，６０の渡り線３３，５３，７３を配置する構成を採用してもよい。図１６においては各渡り線３３，５３，７３同士が離間する状態で配置しているが、渡り線３３，５３，７３同士を接触状態で配置してもよい。この場合、各渡り線３３，５３，７３は例えば絶縁被膜によって絶縁されており、電気的に接続された状態ではない。
【０１１９】
・上記各実施形態では、Ｕ相ステータ構成部２０、Ｖ相ステータ構成部４０，８１，１０１及びＷ相ステータ構成部６０をそれぞれ１つずつ備えてステータ１０，８０，１００，１１０を構成したが、これに限らない。
【０１２０】
図１７に示すように、ステータ１２０は、２つのＶ相ステータ構成部１２１，１２２と、２つのＷ相ステータ構成部１３１，１３２と、１つのＵ相ステータ構成部１４１とを有する構成を採用してもよい。
【０１２１】
２つのＶ相ステータ構成部１２１，１２２は、２つの分割コア１２３，１２４と、２つの巻線１２５，１２６と、各分割コア１２３，１２４に取着される絶縁部１２７，１２８とをそれぞれ有する。また、各Ｖ相ステータ構成部１２１，１２２は、同一構成であって、周方向において互いに９０度離間されている。また、各Ｖ相ステータ構成部１２１，１２２の分割コア１２３，１２４は、周方向に略９０度ずらして配置される。分割コア１２３には巻線１２５が絶縁部１２７を介して巻回され、分割コア１２４には巻線１２６が絶縁部１２８を介して巻回される。Ｖ相ステータ構成部１２１の各巻線１２５，１２６は、渡り線１２９によって接続され、同様にＶ相ステータ構成部１２２の各巻線１２５，１２６は、渡り線１２９によって接続される。各巻線１２５，１２６は、渡り線１２９とは逆側の端末線１２５ａ，１２６ａが軸方向に引き出されている。
【０１２２】
２つのＷ相ステータ構成部１３１，１３２は、２つの分割コア１３３，１３４と、２つの巻線１３５，１３６と、各分割コア１３３，１３４に取着される絶縁部１３７，１３８とをそれぞれ有する。また、各Ｗ相ステータ構成部１３１，１３２は、同一構成であって、周方向において互いに９０度離間されている。また、各Ｗ相ステータ構成部１３１，１３２の分割コア１３３，１３４は、周方向に略９０度ずらして配置される。分割コア１３３には巻線１３５が絶縁部１３７を介して巻回され、分割コア１３４には巻線１３６が絶縁部１３８を介して巻回される。Ｗ相ステータ構成部１３１の各巻線１３５，１３６は、渡り線１３９によって接続され、同様にＷ相ステータ構成部１３２の各巻線１３５，１３６は、渡り線１３９によって接続される。各巻線１３５，１３６は、渡り線１３９とは逆側の端末線１３５ａ，１３６ａが軸方向に引き出されている。
【０１２３】
Ｕ相ステータ構成部１４１は、４つの分割コア１４２〜１４５と、４つの巻線１４６〜１４９と、各分割コア１４２〜１４５に取着される絶縁部１５０〜１５３とを有する。各分割コア１４２〜１４５は、周方向に略９０度ずらして配置される。分割コア１４２には巻線１４６が絶縁部１５０を介して巻回される。分割コア１４３には巻線１４７が絶縁部１５１を介して巻回される。分割コア１４４には巻線１４８が絶縁部１５２を介して巻回される。分割コア１４５には巻線１４９が絶縁部１５３を介して巻回される。巻線１４６，１４７は、渡り線１５４によって接続される。巻線１４８，１４９は、図示しない渡り線によって接続される。各巻線１４６〜１４９は、渡り線１５４及び図示しない渡り線とは逆側の端末線１４６ａ，１４７ａ，１４８ａ，１４９ａが軸方向に引き出されている。
【０１２４】
各絶縁部１５０〜１５３は、軸方向一方側において１つの連結部１５６によって連結されている。本例の連結部１５６は例えば第１実施形態の連結部３７と同様の構成である。
上述したように、本例のステータ１２０では、２つのＶ相ステータ構成部１２１，１２２と、２つのＷ相ステータ構成部１３１，１３２と、１つのＵ相ステータ構成部１４１とを有する５分割構造としている。
【０１２５】
なお、図１７に示す構成では、１つの連結部１５６によって全ての絶縁部１５０〜１５３が連結状態とされる１つのＵ相ステータ構成部１４１を採用したが、これに限らない。
図１８に示すように、それぞれが個別の連結部１７１，１７２によって連結状態とされる２つのＵ相ステータ構成部１６１，１６２を備える構成を採用してもよい。なお、本例に示すＵ相ステータ構成部１６１，１６２は、図１７に示すＶ相ステータ構成部１２１，１２２及びＷ相ステータ構成部１３１，１３２と組み合わせて用いることができる。すなわち、６分割構造とすることができる。
【０１２６】
図１８に示すように各Ｕ相ステータ構成部１６１，１６２は、２つの分割コア１６３，１６４と、２つの巻線１６５，１６６と、各分割コア１６３，１６４に取着される絶縁部１６７，１６８とをそれぞれ有する。また、各Ｕ相ステータ構成部１６１，１６２は、同一構成であって、周方向において互いに９０度離間されている。各分割コア１６３，１６４は、周方向に略９０度ずらして配置される。分割コア１６３には巻線１６５が絶縁部１６７を介して巻回される。分割コア１６４には巻線１６６が絶縁部１６８を介して巻回される。Ｕ相ステータ構成部１６１の各巻線１６５，１６６は、渡り線１６９によって接続される。
【０１２７】
図１８に示すように、各絶縁部１６７，１６８は、軸方向一方側において連結部１７１、１７２によって連結されている。連結部１７１は、Ｕ相ステータ構成部１６１の各絶縁部１６７，１６８と一体形成されている。連結部１７２は、Ｕ相ステータ構成部１６２の各絶縁部１６７，１６８と一体形成されている。各連結部１７１，１７２は、例えば第１実施形態の連結部３７と同様に第１延出部１７３と第２延出部１７４とを有する。本例における第１延出部１７３は、上記第１実施形態同様に、軸方向延出部３５ａの径方向内側面３５ｃから径方向内側に延出するように設けられる。第２延出部１７４は、上記第１実施形態同様に、第１延出部１７３の先端部から軸方向に延出するように設けられる。第１延出部１７３は、半円弧板状をなすように構成される。第２延出部１７４は略半円筒状をなすように構成される。つまり、各連結部１７２は、その断面形状がＬ字状をなすように構成される。
【０１２８】
図１８に示す２つのＵ相ステータ構成部１６１，１６２と、図１７に示す２つのＶ相ステータ構成部１２１，１２２と、同図に示す２つのＷ相ステータ構成部１３１，１３２を組み合わせて６分割構造を構成することができるが、これ以外の６分割構造を採用してもよい。その一例を図１９及び図２０に示す。
【０１２９】
図１９に示すように、ステータ１８０は、２つのＵ相ステータ構成部１８１，１８２と、２つのＶ相ステータ構成部１９１，１９２と、Ｗ相ステータ構成部２０１，２０２とを有する。
【０１３０】
２つのＵ相ステータ構成部１８１，１８２は、２つの分割コア１８３，１８４と、２つの巻線１８５，１８６と、各分割コア１８３，１８４に取着される絶縁部１８７，１８８とをそれぞれ有する。各分割コア１８３，１８４は、周方向に略１５０度ずらして配置される。Ｕ相ステータ構成部１８１の分割コア１８３は、Ｕ相ステータ構成部１８２の分割コア１８４と周方向において隣接する。Ｕ相ステータ構成部１８１の分割コア１８４は、Ｕ相ステータ構成部１８２の分割コア１８３と周方向において隣接する。分割コア１８３には巻線１８５が絶縁部１８７を介して巻回される。分割コア１８４には巻線１８６が絶縁部１８８を介して巻回される。Ｕ相ステータ構成部１８１，１８２の各巻線１８５，１８６は、渡り線１８９によって接続される。
【０１３１】
２つのＶ相ステータ構成部１９１，１９２は、２つの分割コア１９３，１９４と、２つの巻線１９５，１９６と、各分割コア１９３，１９４に取着される絶縁部１９７，１９８とをそれぞれ有する。各分割コア１９３，１９４は、周方向に略１５０度ずらして配置される。Ｖ相ステータ構成部１９１の分割コア１９３は、Ｖ相ステータ構成部１９２の分割コア１９４と周方向において隣接する。Ｖ相ステータ構成部１９１の分割コア１９４は、Ｖ相ステータ構成部１９２の分割コア１９３と周方向において隣接する。分割コア１９３には巻線１９５が絶縁部１９７を介して巻回される。分割コア１９４には巻線１９６が絶縁部１９８を介して巻回される。Ｖ相ステータ構成部１９１，１９２の各巻線１９５，１９６は、渡り線１９９によって接続される。
【０１３２】
２つのＷ相ステータ構成部２０１，２０２は、２つの分割コア２０３，２０４と、２つの巻線２０５，２０６と、各分割コア２０３，２０４に取着される絶縁部２０７，２０８とをそれぞれ有する。各分割コア２０３，２０４は、周方向に略１５０度ずらして配置される。Ｗ相ステータ構成部２０１の分割コア２０３は、Ｗ相ステータ構成部２０２の分割コア２０４と周方向において隣接する。Ｗ相ステータ構成部２０１の分割コア２０４は、Ｗ相ステータ構成部２０２の分割コア２０３と周方向において隣接する。分割コア２０３には巻線２０５が絶縁部２０７を介して巻回される。分割コア２０４には巻線２０６が絶縁部２０８を介して巻回される。Ｗ相ステータ構成部２０１，２０２の各巻線２０５，２０６は、渡り線２０９によって接続される。
【０１３３】
図２０に示すように、Ｗ相ステータ構成部２０１，２０２の各分割コア２０３，２０４を周方向に略２１０度ずらして配置してもよい。本例の場合、２つの渡り線２０９同士が２箇所で軸方向視で重なる（すなわち交差する）こととなる。ここで、例えばＷ相ステータ構成部２０１の分割コア２０３のティースに対して巻線２０５を先に巻回し、その後Ｗ相ステータ構成部２０２の分割コア２０４のティースに対して巻線２０６を巻回したとする。すると、先ず分割コア２０３の各巻線２０５間を接続する渡り線２０９が配索され、その後に分割コア２０４の各巻線２０９間を接続する渡り線２０９が配索されることとなる。このとき、図２０に示すように、２つの渡り線２０９同士が軸方向視で重なる２箇所において、先に巻回した各巻線２０５同士を接続する渡り線２０９が軸方向中央側に位置し、後に巻回した各巻線２０６同士を接続する渡り線２０９が軸方向外側に位置する。このような構成とすることで、例えば２つの渡り線２０９同士が軸方向視で重なる２箇所のそれぞれで２つの渡り線２０９の軸方向における位置関係が逆となる場合と比較して渡り線２０９の配索を行いやすい。
【０１３４】
図１９並びに図２０に示す構成は第１実施形態に限らず、他の実施形態においても同様に変更可能である。
・上記各実施形態では特に言及していないが、１つの駆動回路すなわち１系統の駆動回路にてＵ相電流、Ｖ相電流及びＷ相電流を各巻線に供給する構成や、２系統などの複数系統の駆動回路にて各巻線に電流を供給する構成を採用してもよい。
【０１３５】
・上記第１〜第３実施形態では、Ｕ相ステータ構成部２０に１つの連結部３７を備え、他のＶ相ステータ構成部４０及びＷ相ステータ構成部６０には連結部を備えない構成としたが、これに限らない。３つのステータ構成部の内の２つのステータ構成部に対して連結部を備える構成を採用してもよい。
【０１３６】
・上記第１〜第３実施形態では、連結部３７の断面形状が略Ｌ字状をなすように構成したが、これに限らない。連結部３７の断面形状が略Ｔ字状をなすような構成を採用してもよい。Ｔ字状をなす構成としては、第１延出部３８の径方向内側から軸方向両側に延びるように構成する。この場合、必要に応じて第１延出部３８の軸方向両側に渡り線を配索するようにしてもよい。
【０１３７】
図２３に示すように連結部２１０を第１延出部２１１で構成してもよい。すなわち、連結部２１０は、第１実施形態の連結部３７の第２延出部３９を省略した構成である。第１延出部２１１は円環状をなすように構成される。第１延出部２１１を備えて連結することで、渡り線３３並びに他のステータ構成部４０，６０の渡り線５３，７３の軸方向一方側への移動を規制することができる。また、第２延出部３９を省略することで第２延出部３９の先端部による各渡り線３３，５３，７３の損傷を抑えることが可能となる。
【０１３８】
・上記第１〜第３実施形態では、Ｕ相ステータ構成部２０の絶縁部２９〜３２同士を連結部３７によって連結する構成としたが、これに限らない。例えば、Ｖ相ステータ構成部４０の絶縁部４９〜５２同士を連結部によって連結する構成や、Ｗ相ステータ構成部６０の絶縁部６９〜７２同士を連結部によって連結する構成を採用してもよい。
【０１３９】
・上記各実施形態では、巻線と渡り線とを一体としたが、別体であってもよい。
・上記各実施形態では特に言及していないが、例えば各渡り線をモールドする構成を採用してもよい。このような構成とすることで、渡り線の移動が規制され、渡り線同士の干渉や他の部材との干渉を抑えることができる。
【符号の説明】
【０１４０】
１０，８０，１００，１１０，１２０，１８０…ステータ、１１…ステータコア、１２…インシュレータ、２０，１４１…Ｕ相ステータ構成部（第２ステータ構成部）、２１〜２４，４１〜４４，６１〜６４，１２３，１２４，１３３，１３４，１４２〜１４５，１６３，１６４，１８３，１８４，１９３，１９４，２０３，２０４…分割コア、２５〜２８，４５〜４８，６５〜６８，８２〜８５，１０２〜１０５，１２５，１２６，１３５，１３６，１４６〜１４９，１６５，１６６，１８５，１８６，１９５，１９６，２０５，２０６…巻線、２６ａ，２６ｂ，２７ａ，２７ｂ，４６ａ，４６ｂ，４７ａ，４７ｂ，６６ａ，６６ｂ，６７ａ，６７ｂ，８３ａ，８３ｂ，８４ａ，８４ｂ，１０３ａ，１０３ｂ，１０４ａ，１０４ｂ…引き出し部、２９〜３２，４９〜５２，６９〜７２…絶縁部、３３，５３，７３，８６，１０６，１３９，１５４，１６９，１８９，１９９，２０９…渡り線、３４，５４，７４，８７…交差部、３７，１５６，１７１，１７２…連結部、４０，８１，１０１，１２１，１２２…Ｖ相ステータ構成部（第１ステータ構成部）、６０，１３１，１３２…Ｗ相ステータ構成部（第１ステータ構成部）、Ｋ１，Ｋ２…間隙、Ｔ…ティース。
【図１】
2019213320.tif 000003
【図２】
2019213320.tif 000004
【図３】
2019213320.tif 000005
【図４】
2019213320.tif 000006
【図５】
2019213320.tif 000007
【図６】
2019213320.tif 000008
【図７】
2019213320.tif 000009
【図８】
2019213320.tif 000010
【図９】
2019213320.tif 000011
【図１０】
2019213320.tif 000012
【図１１】
2019213320.tif 000013
【図１２】
2019213320.tif 000014
【図１３】
2019213320.tif 000015
【図１４】
2019213320.tif 000016
【図１５】
2019213320.tif 000017
【図１６】
2019213320.tif 000018
【図１７】
2019213320.tif 000019
【図１８】
2019213320.tif 000020
【図１９】
2019213320.tif 000021
【図２０】
2019213320.tif 000022
【図２１】
2019213320.tif 000023
【図２２】
2019213320.tif 000024
【図２３】
2019213320.tif 000025